(57)【要約】【課題】容易に手指全体を消毒することができる手指消毒装置を提供することを課題とする。【解決手段】オゾン水を生成するように構成されるオゾン水生成部２と、オゾン水生成部２によって生成されたオゾン水によって手指の消毒を行うように構成される消毒部３と、を具備し、オゾン水を用いて手指の消毒を行う手指消毒装置１であって、消毒部３は、オゾン水生成部２によって生成されたオゾン水を供給口３５を介して供給するように構成されるオゾン水供給管３４と、オゾン水供給管３４の供給口３５から供給されるオゾン水の水流幅を広げるように構成される水流幅拡張器７０と、を備える。【選択図】図１
2014064663.tif 000002
【特許請求の範囲】
【請求項１】
オゾン水を生成するように構成されるオゾン水生成部と、
前記オゾン水生成部によって生成された前記オゾン水によって手指の消毒を行うように構成される消毒部と、
を具備し、前記オゾン水を用いて前記手指の消毒を行う手指消毒装置であって、
前記消毒部は、前記オゾン水生成部によって生成された前記オゾン水を供給口を介して供給するように構成されるオゾン水供給管と、前記オゾン水供給管の供給口から供給される前記オゾン水の水流幅を広げるように構成される水流幅拡張器と、を備える、
手指消毒装置。
【請求項２】
前記消毒部の水流幅拡張器は、前記オゾン水の水流幅が広げられた状態で、前記オゾン水が表面を上流側から下流側に流れるように構成される板体を有する、
請求項１に記載の手指消毒装置。
【請求項３】
前記消毒部の水流幅拡張器は、前記消毒部のオゾン水供給管の供給口から供給される前記オゾン水が溜められるように構成され、前記溜められたオゾン水が前記水流幅拡張器の前記板体に流出するように構成される受け皿を有し、
前記消毒部のオゾン水供給管は、前記オゾン水供給管の供給口が前記消毒部の水流幅拡張器の受け皿内に位置するように配置される、
請求項２に記載の手指消毒装置。
【発明の詳細な説明】
【技術分野】
【０００１】
本発明は、オゾン水を用いて手指の消毒を行う手指消毒装置の技術に関する。
【背景技術】
【０００２】
従来、オゾンの殺菌効果を利用して対象物の消毒を行う技術は種々知られている。
また、前記オゾンの殺菌効果を利用して対象物の消毒を行う技術として、オゾン水を用いて手指の消毒を行う消毒装置が公知となっている（特許文献１参照）。
前記手指消毒装置は、オゾン水を生成するように構成されるオゾン水生成部と、オゾン水供給管を備える消毒部と、を具備し、消毒部に手指を配置して、当該消毒部において、オゾン水供給管の供給口を介して供給されるオゾン水で手指の消毒を行うように構成される。
【先行技術文献】
【特許文献】
【０００３】
【特許文献１】特開平６−２３３８０５号公報
【発明の概要】
【発明が解決しようとする課題】
【０００４】
しかしながら、前記手指消毒装置では、オゾン水供給管の供給口から供給されるオゾン水の水流幅が狭く、手指に掛かるオゾン水の範囲も狭いものであった。
このため、前記手指消毒装置では、手指全体を消毒しようとすると、手指を移動させて手指にオゾン水が掛かる箇所を移動させる動作を行う必要がある。
このように、前記手指消毒装置では、手指全体を消毒する動作が繁雑であった。
【０００５】
本発明は以上の如き状況に鑑みてなされたものであり、容易に手指全体を消毒することができる手指消毒装置を提供することを課題とする。
【課題を解決するための手段】
【０００６】
本発明の解決しようとする課題は以上の如くであり、次にこの課題を解決するための手段を説明する。
【０００７】
即ち、請求項１においては、オゾン水を生成するように構成されるオゾン水生成部と、前記オゾン水生成部によって生成された前記オゾン水によって手指の消毒を行うように構成される消毒部と、を具備し、前記オゾン水を用いて前記手指の消毒を行う、手指消毒装置であって、前記消毒部は、前記オゾン水生成部によって生成された前記オゾン水を供給口を介して供給するように構成されるオゾン水供給管と、前記オゾン水供給管の供給口から供給される前記オゾン水の水流幅を広げるように構成される水流幅拡張器と、を備えるものである。
【０００８】
請求項２においては、前記消毒部の水流幅拡張器は、前記オゾン水の水流幅が広げられた状態で、前記オゾン水が表面を上流側から下流側に流れるように構成される板体を有するものである。
【０００９】
請求項３においては、前記消毒部の水流幅拡張器は、前記消毒部のオゾン水供給管の供給口から供給される前記オゾン水が溜められるように構成され、前記溜められたオゾン水が前記水流幅拡張器の前記板体に流出するように構成される受け皿を有し、前記消毒部のオゾン水供給管は、前記オゾン水供給管の供給口が前記消毒部の水流幅拡張器の受け皿内に位置するように配置されるものである。
【発明の効果】
【００１０】
本発明の効果として、以下に示すような効果を奏する。
【００１１】
即ち、本発明によれば、容易に手指全体を消毒することができる。
【図面の簡単な説明】
【００１２】
【図１】本発明の実施形態に係る手指消毒装置を示したブロック図。
【図２】同じく手指消毒装置を示した部分拡大斜視図。
【図３】同じく手指消毒装置の水流幅拡張器を示した斜視図。
【図４】同じく手指消毒装置の水流幅拡張器を示した側面図。
【図５】同じく手指消毒装置を示したブロック図。
【発明を実施するための形態】
【００１３】
次に、本発明の実施形態に係る手指消毒装置１について、図１から図５を用いて説明する。
【００１４】
手指消毒装置１は、オゾン水を用いて手指の消毒を行うものである。
手指消毒装置１は、図１乃至図４に示すように、オゾン水生成部２と、消毒部３と、廃水槽４と、オゾン処理部５と、を具備する。
【００１５】
手指消毒装置１のオゾン水生成部２は、オゾン水を生成するように構成される。オゾン水生成部２は、例えば、タンクに溜められる原料水（水）に、オゾンガス発生装置において発生されたオゾンガスを溶解して、オゾン水を生成するように構成される。
ここで、オゾン水とは、水にオゾン（Ｏ３）が溶解されてなるものである。
オゾン水生成部２は、配管を介して消毒部３に接続され、前記生成したオゾン水を消毒部３に供給するように構成される。
【００１６】
手指消毒装置１の消毒部３は、オゾン水生成部２によって生成されて供給されたオゾン水によって手指の消毒を行うように構成される。
消毒部３は、箱体３１と、消毒室３２と、一対の挿入孔３３・３３と、オゾン水供給管３４と、を備えて構成される。
【００１７】
手指消毒装置１の消毒部３の箱体３１は、内部が中空状の箱状に構成される。
【００１８】
手指消毒装置１の消毒部３の消毒室３２は、箱体３１の内部の空間（箱体３１の中空状の空間）で構成される。
消毒部３の消毒室３２は、消毒部３において手指の消毒を行うときに手指が配置されて、消毒部３におけるオゾン水による手指の消毒を行う領域として構成される。
【００１９】
手指消毒装置１の消毒部３の挿入孔３３は、箱体３１の側壁に箱体３１外から消毒室３２内に貫通するように形成される。
消毒部３の挿入孔３３は、箱体３１外から消毒室３２内に手指を挿入可能に構成される。
【００２０】
手指消毒装置１の消毒部３のオゾン水供給管３４は、配管を介してオゾン水生成部２に接続される。
消毒部３のオゾン水供給管３４は、その供給口３５が消毒室３２内に配置され、オゾン水生成部２によって生成されたオゾン水を、供給口３５を介して消毒室３２内に供給するように構成される。
【００２１】
そして、手指消毒装置１は、消毒部３の挿入孔３３から挿入するようにして手指を消毒室３２内に配置し、オゾン水供給管３４の供給口３５から供給されるオゾン水によって、手指の消毒を行うように構成される。
【００２２】
手指消毒装置１の廃水槽４は、排水管４１を介して消毒部３（消毒部３の消毒室３２）に接続される。
廃水槽４は、消毒室３２に供給されて手指の消毒処理に使用された廃水（オゾン水）が、排水管４１を介して流入するように構成される。
【００２３】
また、手指消毒装置１の消毒部３は、水流幅拡張器７０を備えて構成される。
消毒部３の水流幅拡張器７０は、消毒室３２内に配置される。
消毒部３の水流幅拡張器７０は、消毒室３２内において、オゾン水供給管３４の供給口３５から供給されるオゾン水の水流幅を、（オゾン水供給管３４の供給口３５から流出直後のオゾン水の水流幅よりも）広げるように構成される。
【００２４】
このように、消毒部３が水流幅拡張器７０を備える手指消毒装置１では、水流幅拡張器７０によって水流幅が広げられたオゾン水で、手指の消毒を行うように構成される。
このため、手指消毒装置１によれば、消毒部３が水流幅拡張器７０を備えないものに比べて、手指に掛かるオゾン水の範囲を広がるため、手指を移動させて手指にオゾン水が掛かる箇所を移動させる動作範囲を狭くすること（または移動させる動作を無くすこと）ことができる。
したがって、手指消毒装置１によれば、消毒部３が水流幅拡張器７０を備えないものに比べて、容易に手指全体を消毒することができる。
【００２５】
手指消毒装置１の消毒部３の水流幅拡張器７０は、受け皿７１と、板体７２と、を有して構成される。
【００２６】
手指消毒装置１の消毒部３における水流幅拡張器７０の受け皿７１は、オゾン水供給管３４の下流側に配置され、オゾン水供給管３４の供給口３５から供給されるオゾン水が溜められるように構成される。
消毒部３における水流幅拡張器７０の受け皿７１は、流出口７３を有し、受け皿７１に溜められたオゾン水が流出口７３から板体７２に流出するように構成される。
【００２７】
手指消毒装置１の消毒部３における水流幅拡張器７０の受け皿７１は、上方が開口する箱状に構成される。
消毒部３における水流幅拡張器７０の受け皿７１は、一部の側面は、その上縁部が切り欠かれるようにして、その上端位置が他の部分の上端位置に比べて低くなるように構成される。
消毒部３における水流幅拡張器７０の受け皿７１の流出口７３は、前記一部の側面の上縁部が切り欠かれる部分で構成される。水流幅拡張器７０の受け皿７１の流出口７３は、その幅が少なくともオゾン水供給管３４の供給口３５の直径よりも大きく構成される。水流幅拡張器７０の受け皿７１の流出口７３は、その幅が少なくともオゾン水供給管３４の供給口３５から流出直後のオゾン水の水流幅よりも大きく構成される。
消毒部３における水流幅拡張器７０の受け皿７１は、受け皿７１にオゾン水が溜められていって、受け皿７１におけるオゾン水の貯留限度を超えると、当該受け皿７１に溜められたオゾン水が溢れ出すようにして受け皿７１の流出口７３から板体７２に流出するように構成される。
そして、消毒部３における水流幅拡張器７０の受け皿７１は、オゾン水供給管３４の供給口３５から供給されるオゾン水の水流幅を、（オゾン水供給管３４の供給口３５から流出直後のオゾン水の水流幅よりも）広げるようにして、受け皿７１の流出口７３から流出するように構成される。
【００２８】
手指消毒装置１の消毒部３における水流幅拡張器７０の板体７２は、平板状の部材で構成される。
消毒部３における水流幅拡張器７０の板体７２は、受け皿７１の下流側に配置され、受け皿７１の流出口７３から流出したオゾン水が、受け皿７１においてその水流幅が広げられた状態で、板体７２の表面を上流側から下流側に流れるように構成される。
消毒部３における水流幅拡張器７０の板体７２は、その上流側（オゾン水供給管３４側）が上方に（下流側（挿入孔３３側）が下方に）傾斜するように配置される。
消毒部３における水流幅拡張器７０の板体７２は、その上流側端部が受け皿７１の流出口７３の下方において受け皿７１の外側の側壁に当接して配置される。
消毒部３における水流幅拡張器７０の板体７２は、その幅が受け皿７１の流出口７３の幅よりも大きく構成される。
【００２９】
そして、手指消毒装置１は、消毒部３の消毒室３２内において、水流幅拡張器７０の板体７２の表面に手指を配置し、または、水流幅拡張器７０の板体７２の下流側端部の下方に手指を配置することにより、水流幅拡張器７０の板体７２を流れるオゾン水によって手指を消毒するように構成される（図３または図４参照）。
【００３０】
このように、消毒部３の水流幅拡張器７０がオゾン水の水流幅が広げられた状態でオゾン水が表面を上流側から下流側に流れるように構成される板体７２を有する手指消毒装置１では、水流幅拡張器７０の板体７２を流れるオゾン水は、オゾン水供給管３４の供給口３５から流出直後の水流幅よりもオゾン水の水流幅が広げられて、下流側に流れることとなる。
このため、手指消毒装置１によれば、消毒部３が水流幅拡張器７０を備えないものに比べて、手指に掛かるオゾン水の範囲を広がるため、手指を移動させて手指にオゾン水が掛かる箇所を移動させる動作範囲を狭くすること（または移動させる動作を無くすこと）ことができる。
したがって、手指消毒装置１によれば、消毒部３が水流幅拡張器７０を備えないものに比べて、容易に手指全体を消毒することができる。
【００３１】
また、消毒部３の水流幅拡張器７０が板体７２を有する手指消毒装置１では、水流幅拡張器７０の板体７２を流れるオゾン水は、オゾン水供給管３４の供給口３５から直接掛けられる水勢よりもオゾン水の水勢が弱められて、下流側に流れることとなる。
このため、手指消毒装置１によれば、（例えば、水流幅拡張器７０の板体７２の表面に手指を配置してオイゾン水によって手指を消毒する場合には）、手指にオゾン水が接触したときの衝撃でオゾン水中のオゾンが分解することを抑制することができ、オゾン水による手指の消毒効果が低下することを抑制することができる。
手指消毒装置１では、消毒部３の水流幅拡張器７０の板体７２の表面を流れるオゾン水が手指に接触したときの衝撃でオゾン水中のオゾンが分解することを抑制するためには、水流幅拡張器７０の板体７２の傾斜角度を１５度以下とすることが好ましい。
また、手指消毒装置１では、消毒部３の水流幅拡張器７０の板体７２の表面を流れるオゾン水が手指に接触したときの衝撃でオゾン水中のオゾンが分解することを抑制するためには、水流幅拡張器７０の板体７２の傾斜角度を１０度以下とすることがより好ましい。
【００３２】
手指消毒装置１の消毒部３のオゾン水供給管３４は、その供給口３５が水流幅拡張器７０の受け皿７１内（オゾン水が溜められる部分）に位置するように配置される。
このように、消毒部３がオゾン水供給管３４を備え、消毒部３の水流幅拡張器７０が受け皿７１を有し、消毒部３のオゾン水供給管３４はその供給口３５が水流幅拡張器７０の受け皿７１内に位置するように配置される手指消毒装置１では、オゾン水供給管３４の供給口３５から流出してオゾン水が受け皿７１に溜められる際に、オゾン水が受け皿７１の底面に接触したときの衝撃、または、オゾン水が受け皿７１に溜められたオゾン水の表面に接触したときの衝撃でオゾン水中のオゾンが分解することを抑制することができる。
【００３３】
さらに、手指消毒装置１の消毒部３のオゾン水供給管３４は、その供給口３５が水流幅拡張器７０の受け皿７１の流出口７３よりも下方（受け皿７１の底面側）に位置するように配置される。
このように構成される手指消毒装置１では、水流幅拡張器７０の受け皿７１の流出口７３からオゾン水が流出する程度にオゾン水が水流幅拡張器７０の受け皿７１に溜められた状態では、オゾン水供給管３４の供給口３５から流出するオゾン水は、水流幅拡張器７０の受け皿７１に溜められたオゾン水の表面に接触することがなく、水流幅拡張器７０の受け皿７１に溜められて行くこととなる。
したがって、手指消毒装置１によれば、水流幅拡張器７０の受け皿７１の流出口７３からオゾン水が流出する程度にオゾン水が水流幅拡張器７０の受け皿７１に溜められた状態において、オオゾン水供給管３４の供給口３５から流出するオゾン水が水流幅拡張器７０の受け皿７１に溜められたオゾン水の表面に接触したときの衝撃でオゾン水中のオゾンが分解することを防止することができる。
【００３４】
手指消毒装置１のオゾン処理部５は、消毒部３（消毒部３の消毒室３２）において揮散したオゾン水中のオゾンを分解する（酸素に戻す）処理を行って排気するように構成される。
このため、オゾン処理部５を備える手指消毒装置１では、消毒部３において揮散したオゾン水中のオゾンが、消毒部３外に流出することを防止することができる。
【００３５】
手指消毒装置１のオゾン処理部５は、排気ファン５１と、オゾン分解触媒５２と、排気管５３と、を備えて構成される。オゾン処理部５は、消毒部３（消毒部３の消毒室３２）に連通するように接続される。
オゾン処理部５の排気管５３は、消毒部３（消毒部３の消毒室３２）に接続される。
オゾン処理部５の排気ファン５１とオゾン分解触媒５２とは、排気管５３を介して消毒部３（消毒部３の消毒室３２）に接続される。
【００３６】
そして、手指消毒装置１のオゾン処理部５は、消毒部３（消毒部３の消毒室３２）において揮散したオゾン水中のオゾンを、その排気ファン５１によって排気管５３を介して消毒部３（消毒部３の消毒室３２）外に吸引し、オゾン分解触媒５２によって分解する処理を行って排気するように構成される。
このようにオゾン処理部５が排気ファン５１とオゾン分解触媒５２とを備えて構成されることにより、手指消毒装置１では、消毒部３において揮散したオゾン水中のオゾンが消毒部３外に流出することを防止するものを、簡易に実現することができる。
【００３７】
また、手指消毒装置１の消毒部３の消毒室３２は、箱体３１の内部の空間で構成されることにより、消毒室３２の周囲（四方）が壁（箱体３１の壁）で囲まれるように構成される。
このように、周囲が壁で囲まれるように構成される消毒室３２を備える消毒部３を具備する手指消毒装置１によれば、消毒部３の消毒室３２において揮散したオゾン水中のオゾンが、（前記オゾン処理部５で処理されるものを除いて、）消毒室３２から流出することを抑制することができる。
【００３８】
手指消毒装置１の消毒部３の挿入孔３３は、片手分の手指を挿入可能な大きさ（例えば、直径が略１０〜１５ｃｍ程度の大きさ）に形成される。
このように手指消毒装置１の消毒部３の挿入孔３３が構成されることにより、消毒部３の消毒室３２において揮散したオゾン水中のオゾンが、（前記オゾン処理部５で処理されるものを除いて、）消毒部３の消毒室３２から挿入孔３３を介して流出することをより確実に抑制することができる。
【００３９】
手指消毒装置１では、オゾン水生成部２がアルカリオゾン水（例えば、ｐＨ９、半減期：２分のオゾン水）を生成して消毒部３に供給するように構成することもできる。
このように構成することにより、手指消毒装置１では、消毒部３におけるオゾン水（アルカリオゾン水）による手指の消毒（殺菌）効果を向上させることができる。
【００４０】
また、手指消毒装置１は、図５に示すように、予備洗浄液供給部７を備えて構成することもできる。
手指消毒装置１の予備洗浄液供給部７は、配管を介して消毒部３に接続され、アルカリ洗剤・石鹸等の手指の予備洗浄に用いられる予備洗浄液を、配管を介して消毒部３（消毒室３２）に供給するように構成される。
このように構成される手指消毒装置１は、消毒部３（消毒室３２）において、まず、予備洗浄液供給部７から供給される予備洗浄液によって手指の予備洗浄を行い、次いで、オゾン水生成部２から供給されるオゾン水によって手指の消毒を行うように構成される。
このように構成することにより、手指消毒装置１では、消毒部３（消毒室３２）における手指の消毒をより確実に行うことができる。
【符号の説明】
【００４１】
１    手指消毒装置
２    オゾン水生成部
３    消毒部
４    廃水槽
５    オゾン処理部
７０  水流幅拡張器
７１  受け皿
７２  板体
７３  流出口
【図１】
2014064663.tif 000003
【図２】
2014064663.tif 000004
【図３】
2014064663.tif 000005
【図４】
2014064663.tif 000006
【図５】
2014064663.tif 000007